(57)【要約】【課題】  物品１に情報タグ２を直接装着して、 物品１を地中深く埋め込むような場合でも、前記情報タグ２の情報を容易かつ確実に読み出しおよび書き込みできる情報タグシステムを提供する。【解決手段】  物品１に装着されて、物品１に関する情報を保持し、外部から非接触で前記情報を読み出し可能な情報タグ２と、端部が前記情報タグ２の外面に取り付けられて前記情報の書込みおよび読出しを行わせるアンテナ回路３と、アンテナ回路３の他端部３２を保持し、外部に露出した位置に配置される標示器４とを備えている。【選択図】  図１
2005062071.tif 000002
【特許請求の範囲】
【請求項１】
物品に装着されて、物品に関する情報を保持し、外部から非接触で前記情報を読み出し可能な情報タグと、
端部が前記情報タグの外面に取り付けられて前記情報の書込みおよび読出しを行わせるアンテナ回路と、
アンテナ回路の他端部を保持し、外部に露出した位置に配置される標示器とを備えた情報タグシステム。
【請求項２】
請求項１において、前記アンテナ回路の一端部は、一巻き以上のループを形成している情報タグシステム。
【請求項３】
請求項１または２において、前記情報タグは地中に埋入しており、前記標示器は少なくとも一部が地表に露出している情報タグシステム。
【発明の詳細な説明】
【技術分野】
【０００１】
本発明は、主に地中や建物の内部などに設置された電話線や光ファイバーなどの配設管、上下水道管、バルブなどの物品に関する各種の情報を標示するための情報タグシステムに関するものである。
【背景技術】
【０００２】
この種の情報タグシステムとして、本願出願人は、地盤に一部もしくは全部が埋め込まれる位置標示部材の頭部に情報タグ（識別体）を内装し、これにロケータなどの検出器を近付けることにより情報タグに内蔵した標示情報を外部から非接触で読み出し可能としたものを、先に出願した（特許文献１参照）。
【特許文献１】特開平９- ５３９４１号公報
【発明の開示】
【発明が解決しようとする課題】
【０００３】
ところで、地中や建物の内部などに設置される光ファイバーなどの配設管や上下水道管およびバルブなどの物品は、これに情報タグを直接装着することが物品の位置情報などを正確に標示させる上で好ましい。しかし、このように情報タグを物品に直接装着した場合、物品が地中深く埋め込まれているときには、ロケータなどの検出器を近付けても土が電磁波を減衰させるので、前記情報タグが有する情報の読み出し、および情報の書き込みが困難になる。また、鉄筋コンクリートなどの壁の裏側に物品が設置されているようなときも、壁が電磁波を遮るので、情報タグの情報の読出しおよび書込みが困難となる。
【０００４】
そこで、本発明は、物品に情報タグを直接装着して、 物品を地中深く埋め込むような場合や、電磁波を遮る壁の裏側に物品を設置する場合でも、前記情報タグが有する情報を容易かつ確実に読み出したり書き込んだりすることができる情報タグシステムを提供することを目的とする。
【課題を解決するための手段】
【０００５】
上記目的を達成するために、本発明の情報タグシステムは、物品に装着されて、物品に関する情報を保持し、外部から非接触で前記情報を読み出し可能な情報タグと、端部が前記情報タグの外面に取り付けられて前記情報の書込みおよび読出しを行わせるアンテナ回路と、アンテナ回路の他端部を保持し、外部に露出した位置に配置される標示器とを備えている。
【０００６】
物品を地中や建物の内部などに設置するときには、物品に情報タグが直接装着されて、この情報タグに取り付けられたアンテナ回路を保持する標示器が物品の設置個所近くに露出させて配置される。この標示器を目印としながらロケータなどの検知器を物品に近付けて、 前記情報タグの各種情報を読み出したり書き込んだりする。このとき、前記物品がたとえ地中深く埋め込まれていたり、電磁波を遮る鉄筋コンクリートなどの壁の裏側に設置されていても、前記情報タグの外面にはアンテナ回路が取り付けられているので、このアンテナ回路における標示器側の端部から情報タグに対する送受信が可能となって、情報タグが有する情報の読み出しや書込みが容易かつ確実に行える。
【０００７】
本発明の一実施形態では、前記アンテナ回路の一端部が一巻き以上のループを形成している。この構成によれば、前記ループによりアンテナ回路の送受信性能が高められて、 前記情報タグの各種情報の読み出しや書込みがより確実に行える。
【０００８】
また、 他の実施形態では、前記情報タグは地中に埋入しており、前記標示器は少なくとも一部が地表に露出している。この構成によれば、電話線や光ファイバーなどの配設管、上下水道管などに情報タグを装着させて地中に埋設するとき、この情報タグに取り付けられたアンテナ回路の他端部は、少なくとも一部が地表に露出した前記標示器に保持されているので、地表の標示器に検知器を近づけることにより、前記情報タグの情報の読み出しおよび書込みが容易かつ確実に行える。
【発明の効果】
【０００９】
本発明の情報タグシステムによれば、物品に情報タグを直接装着して、 物品が地中深く埋め込まれていたり、物品が電磁波を遮る壁の裏側に設置されていても、前記情報タグの各種情報を確実に読み出したり書き込んだりすることができる
【発明を実施するための最良の形態】
【００１０】
以下、本発明にかかる情報タグシステムを図面に基づいて説明する。図１は本発明にかかる情報タグシステムＳの一実施形態を示す斜視図である。この実施形態では、地中Ｇに埋設される光ファイバーなどの配設管や上下水道管などの物品１の外面に、その情報を保持する情報タグ２を接着剤などにより装着し、この情報タグ２の外表面には、 前記情報の読出しおよび書込みを行わせるビニール線などからなるアンテナ回路３の一端部３１を取り付けている。また、このアンテナ回路３の他端部３２は、前記物品１の設置個所近くの地表に露出させて設置された標示器４に保持させている。図の実施形態では、前記アンテナ回路３の一端部３１を情報タグ２の外表面に粘着テープなどの固定手段５で固定している。また、前記標示器４には、外表面に前記物品１の情報を表わす文字や記号などの識別標示４１を付し、下部には前記アンテナ回路３の他端部３２を保持するフックのような保持手段４２を設けている。
【００１１】
図２は情報タグシステムＳの簡略的な説明図を示している。前記情報タグ２としては、ＩＣチップ２０と、その作動回路である誘電コイル２１とを含む全体を樹脂２２によりモールドしたものを用い、この情報タグ２を前記物品１の外面に装着させている。ＩＣチップ２０には、識別番号が書き込まれている。このモールド体２２の外表面には、前記誘電コイル２１とは非接続状態、つまり樹脂を介在した状態でアンテナ回路３が取り付けられている。このアンテナ回路３は送受信性能を高めて前記情報タグ２の識別番号の読み出しおよび書込みをより確実に行うために、その一端部３１を、少なくとも一巻以上、好ましくは１〜３巻のループ３１ａを形成するように巻回させ、この状態で図１のように固定手段５で情報タグ２の外表面に固定している。
【００１２】
図３は本発明の情報タグシステムＳを利用して物品１の情報検出を行う場合を説明するブロック図である。この図では、前記情報タグシステムＳの情報タグ２が有する情報を検出する検出器Ｂを備えている。検出器Ｂは、磁気検知手段６と報知手段７とを有し、この磁気検知手段６としては、非接触で前記情報タグ２から識別番号を読み出す、ロケータと呼ばれる検知手段が用いられる。この磁気検知手段６は、指向性のある磁界を発生させる磁界発生器６１と受信器６２とを備えており、磁界発生器６１で発生する磁界がアンテナ回路３から図２の情報タグ２の誘電コイル２１に付加され、この付加に伴いアンテナ回路３から情報タグ２が有する特有の周波数の電磁波、つまり識別番号が発信されて、図３の受信器６２で受信される。前記報知手段７は、例えば光マーカーや警報ブザーなどからなり、前記磁気検知手段６が情報タグ２に近接して、情報タグ２から発信する電磁波の強度が大きくなったとき、これを識別して報知するようにしている。
【００１３】
また、前記検出器Ｂは、前記情報タグ２から発信する特有の周波数に対応する、つまり識別番号に対応する情報、例えば、物品１である配設管、上下水道管、バルブ等の位置情報、配設管に収納されている器材の種類（電話線や光ファイバーなど）、その器材の設置日時、設置業者等の情報を記憶したメモリ８と、前記受信器６２で受信された電磁波に対応する情報をメモリ８から読み出す読出手段９と、読み出された情報を表示するディスプレイやプリンタなどの表示手段１０を備えている。さらに、前記検出器Ｂには、書込み機能部として、磁界発生器６１を駆動して前記磁気情報タグ２に特有の周波数を付加または変更する識別コード付加手段１１が設けられている。
【００１４】
次に、以上の情報タグシステムＳを用いて、例えば物品１の埋設位置の調査を行う場合の手順について説明する。図１のように、前記物品１は、地中Ｇに埋設される際に、その外面に情報タグ２が、例えば接着により装着される。情報タグ２の外表面には、予めアンテナ回路３の一端部３１を固定しておく。アンテナ回路３の他端部３２は標示器４に係止され、この標示器４が物品１の埋設個所近くの地表に露出させて配置される。この後、物品１の埋設位置の再確認を行うようなときに、前記標示器４を目印としながら、前記検出器Ｂによる情報タグ２の探索が行われる。
【００１５】
前記検出器Ｂを構成する磁気検知手段６を標示器４に近づけると、磁気検知手段６の磁界発生器６１から発信された指向性のある磁界により前記アンテナ回路３に誘導電流が発生し、この誘導電流による磁界が情報タグ２に付加される。これにより、図２に示す情報タグ２内の誘電コイル２１が励磁されて、情報タグ２が有する特有の周波数の電磁波、すなわち識別番号が発信され、これがアンテナ回路３を経て図３の受信器６２で受信される。検出器Ｂが情報タグ２に接近して、受信器６２で受信される電磁波の強度が大きくなったとき、前記報知手段７が作動して物品１の位置が確認される。また、これと同時に、アンテナ回路３を経て受信器６２で受信された信号から、情報タグ２の識別番号が検出される。こうして検出された識別番号に基づき、メモリ８に記憶された識別番号に対応する各種情報、つまり、前述した物品１の設置位置や設置日時などの情報が、読出手段９により読み出されて、表示手段１０で表示される。
【００１６】
このとき、情報タグ２のモールド体２２の外表面には、アンテナ回路３の一端部３１が少なくとも一巻以上のループ３１ａを形成するように取り付けられているので、このループ３１ａを設けたことでアンテナ回路３による送受信性能が高められる。また、アンテナ回路３の他端部３２は物品１の埋設個所近くに露出するように配置された標示器４に保持されているので、磁気検知手段６を標示器４に近づけることでアンテナ回路３に容易に接近させることができる。このため、物品１が地中深く埋め込まれているにもかかわらず、前記アンテナ回路３により情報タグ２の識別番号の読み出しが容易かつ確実に行え、また、前記識別コード付加手段１１による情報タグ２に対する識別番号の付加や変更も確実に行える。さらに、アンテナ回路３は、情報タグ２の誘電コイル２１の一部ではなく、誘電コイル２１とは異なる別部品であるから、万一アンテナ回路３が断線しても、情報タグ２に保持された情報が失われることはない。
【００１７】
物品１が地中Ｇに埋め込まれている場合のほか、物品１が電磁波を遮る鉄筋コンクリートなどの壁の裏側に設置されているような場合でも、やはりアンテナ回路３により、情報タグ２からの識別番号の読み出しおよび情報タグ２に対する識別番号の書き込みが容易かつ確実に行える。
【００１８】
なお、情報タグ２に保持させる情報は、識別番号に限られるものではなく、メモリ８に記憶された各種情報の一部を情報タグ２に保持させてもよい。
【図面の簡単な説明】
【００１９】
【図１】本発明の一実施形態にかかる情報タグシステムの使用状態を示す斜視図である。
【図２】同情報タグシステムを簡略的に説明する斜視図である。
【図３】同情報タグシステムを利用して物品の情報検出を行う装置を示すブロック図である。
【符号の説明】
【００２０】
１…物品
２…情報タグ
３…アンテナ回路
３１…一端部
３１ａ…ループ
３２…他端部
４…標示器
６…磁気検知手段
【図１】
2005062071.tif 000003
【図２】
2005062071.tif 000004
【図３】
2005062071.tif 000005